(57)【特許請求の範囲】
【請求項１】
魚釣りに用いる釣竿であって、
先細り筒状の竿体と、
前記竿体の周面に設けられリールを脱着自在に装着可能なリールシートと、
前記リールシート付近の前記竿体周面上に周方向に間隔を隔てて設けられた複数のバランサ保持部と、
前記バランサ保持体に脱着自在に装着されるバランサと
を備えた釣竿。
【請求項２】
前記竿体は前記リールシート付近の周面に配置された弾性層を有し、前記バランサ保持部は前記弾性層上に周方向に間隔を隔てて形成された複数の窪み部である、請求項１に記載の釣竿。
【請求項３】
魚釣りに用いる釣竿であって、
先細り筒状の竿体と、
前記竿体の周面に設けられリールを脱着自在に装着可能なリールシートと、
前記竿体の竿元側外周面に配置されるグリップと、
前記グリップの周面上に周方向に間隔を隔てて設けられた複数のバランサ保持部と、
前記バランサ保持体に脱着自在に装着されるバランサと
を備えた釣竿。
【請求項４】
前記グリップは前記竿体が貫通する筒状弾性部材であり、前記バランサ保持部は前記グリップ周面に周方向に間隔を隔てて形成された複数の窪み部である、請求項３に記載の釣竿。
【請求項５】
前記バランサは前記竿体の軸方向に延びる略矩形板状の金属材である、請求項１〜４の何れかに記載の釣竿。
【発明の詳細な説明】
【０００１】
【発明の属する技術分野】
本発明は、魚釣りに用いる釣竿に関する。
【０００２】
【従来の技術】
一般に釣竿は、先細り筒状部材である竿体と、竿体の竿元側周面に設けられリールを脱着自在に装着可能なリールシートと、竿体上に間隔を隔てて配置された釣糸ガイドとを有している。そして、リールからの釣糸を順次釣糸ガイドを通じて穂先側に導いて釣りをおこなうことになる。
【０００３】
【発明が解決しようとする課題】
近年、釣竿の軽量化が図られて竿体自体の重さは比較的軽量化されてきている。しかし、この竿体の軽量化はリールと竿体との重量差を拡大するため、リールを竿体に装着した際のリールシート付近の重量バランスに釣人が違和感を覚える場合がある。即ち、リールをリールシートに取り付けると竿体の周面の一周方向へリールから加重がかかり、竿体の周方向のバランスに偏重が生じることが考えられる。このような竿体の周方向における重量バランスは、キャスティングやリトリーブ等の釣り操作に重要な影響を与えるものである。
【０００４】
本発明の課題は、釣竿全体の重量バランスを良好に調整可能な釣竿を提供することにある。
【０００５】
【課題を解決するための手段】
発明１にかかる釣竿は、魚釣りに用いる釣竿であって、先細り筒状の竿体と、竿体の周面に設けられリールを脱着自在に装着可能なリールシートと、リールシート付近の竿体周面上に周方向に間隔を隔てて設けられた複数のバランサ保持部と、バランサ保持体に脱着自在に装着されるバランサとを備えている。
【０００６】
この釣竿では、リールをリールシートに取り付けた後、釣人は自らの釣り操作感覚にフィットするように、バランサ保持部にバランサを挿入する。このバランサ保持部は周方向に間隔を隔てて複数箇所に設けられており、任意のバランサ保持部にバランサを装着することで、周方向における微妙な重量バランスをとることができる。この結果、リールをリールシートに取り付けた際に生じるリールシート付近の竿体の周方向バランスを良好なものとし得る。また、右利き左利きといった釣人個人の状況に応じて竿体の周方向バランスをとることができる。
【０００７】
発明２にかかる釣竿は、発明１の釣竿であって、竿体はリールシート付近の周面に配置された弾性層を有し、バランサ保持部はこの弾性層上に周方向に間隔を隔てて形成された複数の窪み部である。
この釣竿では、バランサを装着する場合には弾性層の窪み部にバランサを挿入しはめ込んで固定する。バランサが弾性層の有する弾性により窪み部内に保持されるので、バランサの脱着が容易である。
【０００８】
発明３にかかる釣竿は、魚釣りに用いる釣竿であって、先細り筒状の竿体と、竿体の周面に設けられリールを脱着自在に装着可能なリールシートと、竿体の竿元側外周面に配置されるグリップと、グリップの周面上に周方向に間隔を隔てて設けられた複数のバランサ保持部と、バランサ保持体に脱着自在に装着されるバランサとを備えている。
【０００９】
この釣竿では、リールをリールシートに取り付けた後、釣人は自らの釣り操作感覚にフィットするように、バランサ保持部にバランサを挿入する。このバランサ保持部は周方向に間隔を隔てて複数箇所に設けられており、任意のバランサ保持部にバランサを装着することで、周方向における微妙な重量バランスをとることができる。また、竿体の竿元側に位置するグリップのバランサ保持部にバランサを挿入することで、竿体の穂先側端部と竿元側端部との軸方向での重量バランスを調整することも可能である。さらに、グリップ上に装着されるバランサは釣人がグリップを把持する際の滑り止めにも資する。
【００１０】
発明４にかかる釣竿は、発明３の釣竿であって、グリップは竿体が貫通する筒状弾性部材であり、バランサ保持部はグリップ周面に周方向に間隔を隔てて形成された複数の窪み部である。
この釣竿では、バランサを装着する場合にはグリップの窪み部にバランサを挿入しはめ込んで固定する。バランサがグリップの有する弾性により窪み部内に保持されるので、バランサの脱着が容易である。
【００１１】
発明５にかかる釣竿は、発明１〜４の釣竿であって、バランサは竿体の軸方向に延びる略矩形板状の金属材である。
【００１２】
【発明の実施の形態】
［第１実施形態］
以下、本発明の第１実施形態について図面を参照しつつ説明する。
本発明の第１実施形態を採用した釣竿は、図１に示すように、元竿１と、元竿１の穂先側に連結される複数の竿体からなる竿体ユニット２とを有している。この元竿１は、竿元側端部に配置されたグリップ３と、グリップ３の穂先側に設けられリール（図示せず）を装着可能なリールシート４と、竿元側端部に脱着自在に装着される尻栓５とを有している。また、後述のように、元竿１のリールシート４付近周面及びグリップ３の竿元側端部付近周面には、それぞれバランサ１０，１１が脱着自在に装着されている。
【００１３】
元竿１，竿体ユニット２は、それぞれ炭素繊維やガラス繊維に合成樹脂を含浸させたプリプレグをマンドレルに巻回して焼成して得られた先細り筒状部材である。また、元竿１及び竿体ユニット２には釣糸を挿通可能な釣糸ガイド６が所定の間隔を隔てて複数設けられている。そして、リール３からの釣糸は順次釣糸ガイド６を通って穂先側に導かれている。
【００１４】
図２及び図３に示すように、グリップ３は、天然ゴム，スチレンゴムやブタジエンゴム等の合成ゴム，ＥＶＡ樹脂またはコルク等の木材からなるの円筒型部材であって、元竿１の竿元側端部において元竿１が貫通するように接着剤等で固定されている。また、このグリップ３の竿元側周面には周方向に等間隔を隔てて形成された６カ所の窪み部３ａが設けられている。窪み部３ａはグリップ３の竿元側から軸方向に延びて形成されており、この窪み部３ａには略矩形板状のバランサ１１が脱着自在に装着される。
【００１５】
バランサ１１は、例えば、スチール，鉛，タングステンまたはこれらの合金等からなり、窪み部３ａに合致するように形成されると共に、窪み部３ａに装着される際に周面外側に位置するフランジを有している。なお、窪み部３ａに装着時に不用意に外れにくいように、バランサ１１の窪み部３ａに挿入される部分には細かい凹凸等を形成してもよい。また、バランサ１１の挿入される先端側をフック形状に加工することも考えられる。
【００１６】
図４及び図５に示すように、リールシート４は元竿１の所定の位置に合成樹脂または金属製部材を射出成型したものであり、元竿１が内部を貫通するようにして元竿１の周面に形成される。このリールシート４はリールを載置可能な載置部４ａとリールの脚部の一端を覆う固定フードと、元竿１の軸方向に移動可能に配置される可動フードとを有している。そして、この固定フードと移動フードとでリールの脚部を挟み込むようにしてリールを脱着自在に元竿１上に固定する。
【００１７】
また、リールシート４の載置部４ａを除く他の周面には弾性層９が配置されている。この弾性層はグリップ３と同様に、天然ゴム，スチレンゴムやブタジエンゴム等の合成ゴム，ＥＶＡ樹脂またはコルク等の木材からなり、接着剤等でリールシート４付近に固定されている。また、この弾性層９には周方向に等間隔を隔てて形成された５カ所の窪み部９ａが設けられている。窪み部９ａは弾性層９の竿元側から軸方向に延びて形成されており、この窪み部９ａには略矩形板状のバランサ１０が脱着自在に装着される。このバランサ１０は前述のバランサ１１と同様の部材である。
【００１８】
このように構成された釣竿では、リールをリールシート４に取り付けた後、釣人は自らの釣り操作感覚にフィットするように、任意の窪み部９ａ，３ａにバランサ１０，１１を挿入する。窪み部９ａはリールシート４付近の周面に周方向に間隔を隔てて複数設けられており、任意の窪み部９ａにバランサ１０を装着することで、リール装着時のリールシート付近における周方向における微妙な重量バランスをとることができる。また、右利き左利きといった釣人個人の状況に応じてリールシート４付近の周方向バランスをとることができる。
【００１９】
また、グリップ３の任意の窪み部３ａにバランサ１１を挿入することで、周方向における微妙な重量バランスをとるとともに、釣竿全体の穂先側端部と竿元側端部との軸方向での重量バランスを調整することも可能である。さらに、グリップ３上に装着されるバランサ１１は釣人がグリップ３を把持する際の滑り止めにもなる。
【００２０】
なお、このバランサ１０，１１はそれぞれ弾性層９，グリップ３の窪み部９ａ，３ａに挿入することで容易に脱着可能である。また、バランサ１０，１１を装着する必要のない窪み部９ａ，３ａには、バランサ１０，１１と同型の合成樹脂等からなる軽量の補助部材を用意し、これを窪み部９ａ，３ａ内に挿入しておけばよい。
【００２１】
［第２実施形態］
以下、本発明の第２実施形態について図面を参照しつつ説明する。
本発明の第２実施形態を採用した釣竿は、第１実施形態と同様に、元竿１と、元竿１の穂先側に連結される複数の竿体からなる竿体ユニット２とを有している。そして、元竿１のリールシート４付近周面には、バランサ２０が脱着自在に装着されている。
【００２２】
図６及び図７に示すように、リールシート４は元竿１の所定の位置に合成樹脂または金属製部材を射出成型したものであり、元竿１が内部を貫通するようにして元竿１の周面に形成される。このリールシート４の載置部４ａと周方向の反対側に位置する周面には、左右斜め下方（載置部４ａ方向を上下方向とする）にそれぞれねじ穴が軸方向に間隔を隔てて３対形成されている。そして、このねじ穴にバランサ２０が脱着自在に螺合している。このバランサ２０は、例えば、スチール，鉛，タングステンまたはこれらの合金等からなるねじ型部材である。
【００２３】
このように構成された釣竿では、リールをリールシート４に取り付けた後、釣人は自らの釣り操作感覚にフィットするように、任意のねじ穴にバランサ２０を螺合させる。ねじ穴はリールシート４の載置部４ａと周方向反対側左右周面に軸方向に間隔を隔ててそれぞれ設けられており、任意のねじ穴にバランサ２０を装着することで、リール装着時のリールシート付近における周方向及び軸方向における微妙な重量バランスをとることができる。なお、バランサ２０を装着する必要のない場合には、バランサ２０と同型の合成樹脂等からなる軽量の補助部材を用意し、これをねじ穴に螺合させておけば足りる。
【００２４】
［他の実施形態］
（ａ）バランサを単一種類のみで構成するのではなく、重さの異なる種々のバランサを用意して、これを用いて釣竿全体のバランスを調整してもよい。
（ｂ）バランサの装着位置及び数は任意に設定可能である。
【００２５】
【発明の効果】
本発明にかかる釣竿によれば、釣竿全体のバランスを良好に調整可能である。
【図面の簡単な説明】
【図１】本発明の第１実施形態を採用した釣竿の全体図。
【図２】本発明の第１実施形態を採用した元竿１のグリップ３付近の拡大図。
【図３】図２の断面図。
【図４】本発明の第１実施形態を採用した元竿１のリールシート４付近の拡大図。
【図５】図４の断面図。
【図６】本発明の第２実施形態を採用した元竿１のリールシート４付近の拡大図。
【図７】図６の断面図。
【符号の説明】
１  元竿
２  竿体ユニット
３  グリップ
４  リールシート
１０，１１，２０  バランサ
【図１】
0004251594.tif 000002
【図２】
0004251594.tif 000003
【図３】
0004251594.tif 000004
【図４】
0004251594.tif 000005
【図５】
0004251594.tif 000006
【図６】
0004251594.tif 000007
【図７】
0004251594.tif 000008